(57)【要約】  本発明は、吸引から成長した飲む及び食べる反応への口腔発達において子供を支援することができ、歯生の過程において支援する、おしゃぶり１０に関する。遮蔽部１２と、制御可能な硬さを持つ乳頭又は乳頭部１４と、該乳頭部の硬さを制御するためのコントローラと、を有するおしゃぶり１０が提供される。該乳頭部の硬さを増大させることにより、子供がおしゃぶり１０を吸う動機が小さくされ、子供が吸引する必要性を失うこととなる。しかしながら、子供が栄養を与えられる必要がある時間、及び吸引反応を行うことによって快適にさせられる必要がある時間もある。この場合には、乳頭が柔らかくされることができる。
2018516115.tif 000002
【特許請求の範囲】
【請求項１】
遮蔽部と、
制御可能な硬さを持つ乳頭部と、
前記乳頭部の硬さを制御するためのコントローラと、
を有するおしゃぶり。
【請求項２】
前記コントローラは、連続的に可変な硬さを制御するよう構成された、請求項１に記載のおしゃぶり。
【請求項３】
前記乳頭部は、圧縮性材料を有し、前記コントローラは、前記圧縮性材料を圧縮又は減圧するための圧縮器を有する、請求項１に記載のおしゃぶり。
【請求項４】
前記乳頭部は、前記圧縮性材料が配置された室を有する、請求項３に記載のおしゃぶり。
【請求項５】
前記圧縮性材料は、気体、液体若しくは固体材料又はこれらの組み合わせを有する、請求項４に記載のおしゃぶり。
【請求項６】
前記圧縮器はボルトを有し、前記ボルトは、前記ボルトの位置に依存して、前記圧縮性材料を圧縮又は減圧するため、前記乳頭部内において移動可能であり、前記コントローラは、前記ボルトを作動させるためのアクチュエータを有する、請求項３に記載のおしゃぶり。
【請求項７】
前記コントローラは、ボルトを作動させるための、回転つまみ及びねじ山又はくさびを有する、請求項１に記載のおしゃぶり。
【請求項８】
前記コントローラは、ボルトを作動させるためのレバーを有する、請求項１に記載のおしゃぶり。
【請求項９】
前記コントローラは、前記乳頭部内で移動可能なボルトを有し、前記乳頭部は、前記ボルトにより変位させられ得る固体材料を有する、請求項１に記載のおしゃぶり。
【請求項１０】
前記圧縮性材料は、気体を有し、前記圧縮性材料を圧縮又は減圧するための装置は、ポンプ及び弁を有し、前記ポンプ及び前記弁は、前記乳頭部の内側部分に気密に配置され、前記圧縮性材料は、前記ポンプを用いて前記乳頭部に空気をポンピングすることにより、又は前記弁によって前記乳頭部から空気を放出することにより、圧縮又は減圧される、請求項３に記載のおしゃぶり。
【請求項１１】
前記乳頭部は、電気活性高分子を有し、前記おしゃぶりは、電圧供給源を有し、前記コントローラは、前記乳頭部の硬さを制御するため、前記電気活性高分子に電圧を供給するよう構成された、請求項１に記載のおしゃぶり。
【請求項１２】
前記コントローラは、制御信号を受信するための受信ユニットと、前記制御信号を処理して、前記制御信号に応じて前記乳頭部の硬さを制御するためのプロセッサと、を有する、請求項１に記載のおしゃぶり。
【請求項１３】
前記受信ユニットは、前記制御信号を無線で受信するよう構成され、前記おしゃぶりは、独立して動作させられる電源を有する、請求項１２に記載のおしゃぶり。
【請求項１４】
前記乳頭部は、酢酸ナトリウムを有する、請求項１に記載のおしゃぶり。
【請求項１５】
前記乳頭部は、形状及び／又は構造を変化させるよう構成され、特に基部のサイズを変化させるよう、及び／又は前記乳頭部の表面上にリブ、溝及び／又はつまみを形成するよう構成された、請求項１に記載のおしゃぶり。
【発明の詳細な説明】
【技術分野】
【０００１】
本発明は、特に子供のおしゃぶり離れの過程及び／又は歯生期の過程をサポートするための、おしゃぶりに関する。
【背景技術】
【０００２】
おしゃぶり（Pacifier）は、なだめ器（soother）とも呼ばれ、子供を静めるために長い間知られ、広く用いられている。しかしながら、おしゃぶりの長い使用は、子供の歯の発達の間及び発達の後の問題に導き得、子供の顎の発達の間の深刻な外乱を引き起こし得る。子供は生まれながら吸うための反射を持ち、このことが学習なしで生後すぐに母親により供給される母乳を吸うことを可能としている。乳児から幼児への成長の間、子供は口の吸う反射を、通常の食べる及び飲む反射に発達させる必要がある。それ故、おしゃぶりから子供を離すこと、いわゆるおしゃぶり離れ（de-soothing）をさせることが望ましい。
【０００３】
おしゃぶり離れをサポートするため、例えば、子供が吸うと膨張して上方向及び外方向に動くおしゃぶりを提供することが、米国特許US7,731,733B2から知られている。更に、国際特許出願公開WO2010/033252A1は、非栄養吸引同調パルス生成器のための方法及び装置を開示している。一実施例は、小袋の圧力を変化させるため第１の圧力及び第２の圧力と連通する弁アセンブリを含む。コントローラが、該弁アセンブリを切り換えて、小袋に第１及び第２の圧力を選択的に結合させ、該小袋内に一連の圧力パルスを生成することができる。
【発明の概要】
【発明が解決しようとする課題】
【０００４】
本発明の目的は、子供のおしゃぶり離れを更に改善し、及び／又は子供の歯生の過程を助ける、おしゃぶりを提供することにある。
【課題を解決するための手段】
【０００５】
本発明の一態様においては、遮蔽部と、制御可能な硬さを持つ乳頭部と、前記乳頭部の硬さを制御するためのコントローラと、を有するおしゃぶりが提示される。該おしゃぶりの乳頭部の硬さを増大させることにより、子供にとって該乳頭部に吸い付くことがあまり快適ではなくなり、乳児にとっての必要性が低減し、子供が継続的におしゃぶり離れすることとなる。更に、歯生の過程において、子供はしばしば物を噛みたがる。それ故、当該過程の間に、乳頭部の硬さを徐々に変化させることは、子供を助けることとなり得る。
【０００６】
乳頭部の異なる硬さの度合いが、単一のおしゃぶりにより実現されることができ、従って、おしゃぶり離れ又は歯生の過程の全体に亘って、１つのおしゃぶりだけが用いられることができることが有利である。従って、異なる乳頭の硬さ度合いを持つおしゃぶりのセットを保持しておくこと、又はおしゃぶりの乳頭を異なる硬さ度合いの乳頭を持つ乳頭と交換する必要がなくなる。更に、同じおしゃぶりを用いることにより、子供は低減された快適さをおしゃぶりの変化に結び付けないこととなる。従って、子供は、より快適なおしゃぶりを求めることもなく、用いているおしゃぶりに固執することとなり、おしゃぶり離れの過程を更に支援する。更なる利点は、子供が静めさせられる必要がある場合、又は乳頭部の硬さが過度に早く変化した場合、乳頭部の硬さが低減させられることができる点である。子供に栄養を与える必要がある時、及び吸引の反射を行うことによって安心させる必要がある時がある。
【０００７】
更なる実施例においては、前記コントローラは、連続的に可変な硬さを制御するよう構成される。このようにして、乳頭部の硬さが、非常にゆっくりと増大させられることができ、それにより、子供が低減された快適さを即座には認識しない。従って、低減された快適さを乳頭部の硬さの変化に結び付けることなく、非常に小さなステップで、子供がおしゃぶり離れすることができる。
【０００８】
好適な実施例においては、前記乳頭部は、圧縮性材料を有し、前記コントローラは、前記圧縮性材料を圧縮又は減圧するための圧縮器を有する。これにより、乳頭部の調節可能な硬さが、非常にコスト効率及び製造効率の良い態様で実現されることができる。
【０００９】
更に好適な実施例においては、前記乳頭部は、前記圧縮性材料が配置された室を有する。斯くして、乳頭部は、圧縮又は減圧されたときに乳頭部の硬さを変化させる好適な特性を有する材料によって満たされることができる。更に、既知の材料が乳頭部に用いられることができ、従って外部の材料がおしゃぶりの乳頭部に適している場合にも、付加的な試験が実行される必要がない。
【００１０】
圧縮可能及び減圧可能な材料が用いられることは必須ではないことに、留意されたい。乳頭部の硬さを変化させる力を伝達することができる或る種の「伝達材料」と一般的にみなされ得る、圧縮及び減圧されることができない他の材料が用いられても良い。
【００１１】
更なる実施例においては、前記圧縮性材料は、気体、液体若しくは固体材料又はこれらの組み合わせを有する。このようにして、望ましい硬さの度合いに対して、特定の材料が選択されることができる。例えば、固体材料を用いる場合、高い硬さの度合いが非常に容易に実現されることができる。更に、気体を用いる場合、硬さがゆっくりと変化し、それ故非常に正確に調節されることができる。液体を用いる場合、大きな範囲の硬さがカバーされることができる。固体材料を用いる場合、液体及び気体材料を用いる場合に比べ、あまり複雑でない形状が好適である。材料の相変化は、いずれの可能性をも活用できる。例えば、電気活性材料又は酢酸ナトリウムの利用により、この原理が実装されることができる。酢酸ナトリウムは発熱反応を生成し、冷たいおしゃぶりは乳児にとって好ましくないため、温められたときにおしゃぶりの快適さを増大させ得る。硬さが変化させられたとき、乳頭の形状が僅かに変化することにも留意されたい。圧力及び応力により、硬さのみならずサイズも増大する。
【００１２】
更なる実施例においては、前記圧縮器はボルトを有し、前記ボルトは、前記ボルトの位置に依存して、前記圧縮性材料を圧縮又は減圧するため、前記乳頭部内において移動可能であり、前記コントローラは、前記ボルトを作動させるためのアクチュエータを有する。この設計により、圧縮又は減圧が、単純でありそれ故コスト効率及び製造効率の良い態様で実現される。更に、ボルトが乳頭部に内蔵されることができるため、圧縮器が容易におしゃぶりに内蔵されることができる。
【００１３】
更なる実施例においては、前記コントローラは、ボルトを作動させるための、回転つまみ及びねじ山又はくさびを有する。従って該コントローラは、おしゃぶりの遮蔽部及び乳頭部に非常に容易に内蔵されることができる。更に、回転つまみ及びボルトを完全に取り外すことも可能であり、従って、乳頭部に材料を追加すること又は乳頭部から材料を取り外すことも可能である。従って、乳頭部の大きな範囲の硬さの度合いが実現されることができる。硬さの度合いの範囲を拡大するため、ボルトを伸長又は短縮することも可能である。これにより、ねじ山が原理的に円形のくさびとみなされ得る。
【００１４】
更に好適な実施例においては、前記コントローラは、前記ボルトを作動させるためのレバーを有する。これにより、用いられるレバーに応じて、より小さな力しかかけられる必要がないため、乳頭部の硬さの調節における快適性が増大させられ得る。
【００１５】
更なる実施例においては、前記コントローラは、前記乳頭部内で移動可能なボルトを有し、前記乳頭部は、前記ボルトにより変位させられ得る固体材料を有する。当該実施例は、乳頭部の全体が単一部品で製造されることができ、それ故乳頭部が容易に且つ迅速に製造されることができるため、有利である。更に、乳頭部の硬さを変化させるために、おしゃぶりが封止される必要がないため、当該実施例についての製造公差が、あまり厳密でないよう選択されることができる。乳頭部が壊れてしまった場合でも、乳頭部の内側から子供の口の中に材料が放出されないため、子供が困惑したり害を与えられたりしない。
【００１６】
更なる実施例においては、前記圧縮性材料は、気体を有し、前記圧縮性材料を圧縮又は減圧するための装置は、ポンプ及び弁を有し、前記ポンプ及び前記弁は、前記乳頭部の内側部分に気密に配置され、前記圧縮性材料は、前記ポンプを用いて前記乳頭部に空気をポンピングすることにより、又は前記弁によって前記乳頭部から空気を放出することにより、圧縮又は減圧される。この設計により、乳頭部の大きな範囲の硬さの度合いをカバーすることが可能となる。更に、乳頭部が壊れた場合／漏れが生じた場合であっても、空気のみが子供の口に放出されることとなるので、子供に害がない。
【００１７】
更なる実施例においては、前記乳頭部は、電気活性高分子を有し、前記おしゃぶりは、電圧供給源を有し、前記コントローラは、前記乳頭部の硬さを制御するため、前記電気活性高分子に電圧を供給するよう構成される。これにより、乳頭部の硬さを増大させるために、応力又は圧力を材料にかける力が必要とされないため、乳頭部の硬さが非常に快適に制御されることができる。
【００１８】
更なる実施例においては、前記コントローラは、制御信号を受信するための受信ユニットと、前記制御信号を処理して、前記制御信号に応じて前記乳頭部の硬さを制御するためのプロセッサと、を有する。このことは、制御信号を用いることにより、乳頭部の硬さが非常に正確に調節されることができるため、有利である。
【００１９】
データプロファイルを生成し、昼間に応じて乳頭部の硬さを調節することも可能である。乳児にとっての快適さが、昼間にはかなりの程度低減させられ、子供が寝る時刻には増大させられても良い。斯くして、子供は昼間にはおしゃぶり離れさせられるが、より快適なおしゃぶりにより眠りにつくことができ、それにより子供がより早く寝ることとなり、それによりおしゃぶり離れにより眠りを損なわない。
【００２０】
更なる実施例においては、前記受信ユニットは、前記制御信号を無線で受信するよう構成され、前記おしゃぶりは、独立して動作させられる電源を有する。斯くして、乳頭部の硬さが、無線で制御されることができる。該おしゃぶりは、乳頭部の硬さを調節するために子供から引き離される必要がなく、おしゃぶりの取り扱いにおける快適さを増大させる。
【００２１】
子供が寝ており、乳児モニタ（baby phone）又は同様の装置により監視されている状況においては、親が該乳児モニタを介して、子供がうるさくなり始めたこと又は暴れ始めたことに気付くと、親がそれに反応して、子供の睡眠を妨害する又は子供を起こすことなく、リモートで乳頭部の硬さを調節することができる。
【００２２】
本発明は一般的に、子供（特に乳児）の吸引の必要性を低減させるために用いられる。しかしながら、提案される手法は他の目的のために用いられることもでき、例えば歯生のため、一般的に乳児及び子供ではない人物のためにも用いられることができる。子供は、歯が生えると、おしゃぶりを用いることの他に、噛むことを好む。乳頭が硬く堅固につくられると、歯生時に用いられることができる。形状の変化及び巨視的構造の変化が、当該歯生期での使用を可能とするため用いられることができ、例えば乳頭のより広い又は厚い基部、及び／又はリブ、溝及びつまみが歯生期での使用を可能とする。
【００２３】
本発明のこれらの及び他の態様は、以下に説明される実施例を参照しながら説明され明らかとなるであろう。
【図面の簡単な説明】
【００２４】
【図１】本発明によるおしゃぶりの第１の実施例を示す。
【図２】本発明によるおしゃぶりの第２の実施例を示す。
【図３】本発明によるおしゃぶりの第３の実施例を示す。
【図４】図４（ａ）は、エラストマーに変位λがかけられたときに生じる応力を示すグラフを示し、図４（ｂ）は、かけられた応力に依存してエラストマーの硬さがどのように変化するかを示すグラフを示す。
【図５】ポンプ及び弁を有する本発明によるおしゃぶりの第４の実施例を示す。
【図６】本発明によるおしゃぶりの第５の実施例を示す。
【図７】本発明によるおしゃぶりの第６の実施例を示す。
【発明を実施するための形態】
【００２５】
図１は、本発明によるおしゃぶりを示す。該おしゃぶりは、エラストマーから形成された乳頭部１４と、プラスチック、木、エラストマー又はその他の適切な材料から形成された遮蔽部１２と、乳頭部１４の硬さを制御するためのコントローラ１６と、を有する。コントローラ１６は、ボルト１８を作動させるための回転つまみ１７及びねじ山１９を有する。乳頭部１４は、乳頭部１４におけるボルト１８の軸方向の動きにより好適に圧縮又は減圧させられる（又は力を伝達するために用いられることができる）固体材料、気体、又は液体を有する。回転つまみ１７が回転させられると、図１ｂに示されるように、ボルト１８がねじ山１９によって乳頭部１４において軸方向に作動させられる。斯くして、該固体材料、気体、又は液体が圧縮又は減圧され、図１ｂの矢印により示されるようにおしゃぶり１０の乳頭部１４の硬さが変化させられる。該固体材料、気体、又は液体を圧縮又は減圧することにより、乳頭部１４のエラストマーに特定の応力がかけられ、斯くして該エラストマーの硬さが変化し、吸引の快適さを低減又は増大させる。
【００２６】
図２ａは、本発明によるおしゃぶり１０を示し、ここでは乳頭部１４が固体材料を有し、ボルト１８が、図２ｂの矢印により示されるように、乳頭部１４の硬さを増大させるため該固体材料を変位させるよう構成される。ボルト１８は、以上に説明されたものと同じ態様で作動させられても良い。ボルト１８は、ボルト１８に力をかけることにより乳頭部１４へと押されても良いし、又は、乳頭部１４が、ボルト１８を保持するためのスナップイン係止装置を有しても良い。ボルト１８が乳頭部１４に挿入されると、固体材料が変位させられる。該変位は、乳頭部１４に応力を引き起こし、それにより乳頭部１４の硬さを増大させる。ボルト１８が乳頭部１４から取り外されると、該応力は解放され、乳頭部１４の硬さが減少させられる。
【００２７】
図３ａにおいては本発明による他の実施例が示されており、ここでは乳頭部１４は電気活性高分子を有し、コントローラ１６が電圧供給源３２を有し、コントローラ１６は乳頭部１４に電圧を印加するよう構成される。コントローラ１６は例えば、おしゃぶり１０の遮蔽部１２に含まれた電位差計を有する。斯くして、電圧供給源３２により供給された電圧が、該電位差計により分割されることができる。該分割された電圧の一部が、乳頭部１４における高分子に印加され、該高分子に乳頭部１４のエラストマーに応力をかけさせる。乳頭部１４の硬さは、伝達される応力により制御される。斯くして、乳頭部１４の硬さは、図３ｂにおける矢印により示されるように、電気活性高分子に印加される電圧に応じて減少又は増大させられる。コントローラ１６は、２つのボタンを有しても良く、一方が硬さを増大させ、一方が硬さを減少させても良く、また該ボタンを介した入力に応じて電圧を増大又は減少させる回路を有しても良い。
【００２８】
更に他の実施例においては、コントローラ１６は、２つのボタンと、所定の電圧を高分子に供給する回路と、を有しても良い。当該実施例においては、或る種のおしゃぶり離れのタイムテーブルが実現され、乳頭部１４の硬さが、所定の推奨されるステップで増大させられることができる。
【００２９】
図４ａにおいては、特定の変位（λ）がエラストマーにおいてかけられたときに生じる応力の振幅を示すグラフが示されている。この依存性は、平滑で単調な挙動を有することが示されている。
【００３０】
図４ｂは、該エラストマーにかけられた応力の量に応じて、該エラストマーの硬さがどのように変化するかを示すグラフを示す。図４ａ及び４ｂにおける矢印は、合致する点を示す。１任意単位の変位により、４０任意単位のショア（shore）硬さに対応する約２ＭＰａの応力が実現されることが示されている。ここでは、ショア硬度計（durometer）がエラストマー材料の硬さを記述する方法であり、Ｎ／ｍｍ２と同等であることは留意されるべきである。ｍｍ又は％だけ材料が伸長／変位されると、該材料が硬くなる。
【００３１】
更に、いずれの依存性も単調に変化し、従って乳頭部１４の硬さは、該エラストマーに変位をかけることにより非常に正確に調節されることができることが分かる。エラストマー材料の挙動を記述するための、種々のフィッティングがある。主に、おしゃぶりの乳頭に好適に用いられるＬＳＲ（Liquid Silicon Rubber）のためのMooney-Rivlinが用いられる。該グラフは、一般的な例であり、一般的な挙動を示すものであって、種々のＬＳＲ間には差がある。ＬＳＲは、熱硬化性エラストマーである。成型されるときは液体であり、熱によって硬化して固体となる。この過程は不可逆である。ＬＳＲは、優れた品質を持つため、提案されるおしゃぶりの乳頭に用いられることができる。代替としては、熱可塑性エラストマー（ＴＰＥ）が乳頭に用いられても良い。一般的に、あらゆるエラストマーが用いられ得る。
【００３２】
図５において、本発明によるおしゃぶり１０が示され、該おしゃぶりは、コントローラ１６と気密に配置された乳頭部１４を有し、コントローラ１６は、ポンプ２２及び弁２４を有する。本実施例においては、ポンプ２２は、乳頭部１４に空気をポンピングするために用いられることができ、これにより、乳頭部１４にかかる応力を増大させ、従って乳頭部１４の硬さを増大させる。弁２４は、乳頭部１４にかけられる応力を減少させるため、乳頭部１４から空気を放出し、斯くして乳頭部１４の硬さを減少させるために用いられることができる。該実施例は、広範囲な乳頭部１４の硬さの度合いがカバーされ得るため、非常に有利である。空気は利用可能であるため、空気の保存部は必要とされず、高い硬さの度合いを実現するため乳頭部１４の室２０に大量の空気がポンピングされることができ、非常に小さな硬さの度合いを実現するため乳頭部１４の室２０から略全ての空気が取り除かれることができる。
【００３３】
図６は、本発明の実施例を示し、ここではおしゃぶり１０は、乳頭部における電気活性高分子と、制御信号を無線で受信する受信ユニット２６と、受信された制御信号を処理するためのプロセッサ２８と、乳頭部の硬さを調節するため該制御信号に応じて電気活性高分子に電圧を印加するための電源３０及びコントローラ１６と、を有する。当該好適な実施例においては、乳頭部１４の硬さは、例えばスマートフォン又はリモートコントローラによって、無線により制御されることができる。斯くして、乳頭部１４の硬さは、子供からおしゃぶり１０を引き離すことなく調節されることができる。また、子供と同じ部屋にいることなく乳頭部１４の硬さを調節することも可能である。斯くして、親は、乳児モニタ又はいずれかの同様な装置を介して子供を監視しつつ、乳頭部１４の硬さを増大又は減少させることができる。このことは、特に子供が寝ているとき又は眠ろうとしているときに、非常に快適な取り扱い状況をもたらす。親は、ドアを開けて子供の眠りを妨害することなく、子供を静めさせて最終的には眠らせるために、乳頭部１４の硬さ減少させることもでき得る。
【００３４】
図７は、本発明の実施例を示し、ここではアクチュエータが、接合部２３に配置されボルト１８に接続されたレバー２１を有する。レバー２１を作動させることにより、ボルト１８が乳頭部１４の中で動かされ、圧縮性材料を圧縮又は減圧する。これにより、乳頭部１４の硬さが制御される。本実施例においては、乳頭部の硬さが、利用されるレバー１８に依存して、より小さい力で変化させられることができる。
【００３５】
本発明は図面及び以上の記述において説明され記載されたが、斯かる説明及び記載は説明するもの又は例示的なものであって、限定するものではないとみなされるべきであり、本発明は開示された実施例に限定されるものではない。図面、説明及び添付される請求項を読むことにより、請求される本発明を実施化する当業者によって、開示された実施例に対する他の変形が理解され実行され得る。
【００３６】
本発明は、例示的になだめ器及びおしゃぶりについて示されたが、斯かる開示された実施例に限定されるものではないことは、理解されよう。当業者は、創造的な労力なしで、いずれの年齢の乳児、幼児及び子供のための乳首、吐出口、及び飲料のストロー及び食事装置に、開示された本発明を適用することが可能である。
【００３７】
請求項において、「有する（comprising）」なる語は他の要素又はステップを除外するものではなく、「１つの（a又はan）」なる不定冠詞は複数を除外するものではない。単一のプロセッサ又はその他のユニットが、請求項に列記された幾つかのアイテムの機能を実行しても良い。特定の手段が相互に異なる従属請求項に列挙されているという単なる事実は、これら手段の組み合わせが有利に利用されることができないことを示すものではない。
【００３８】
請求項におけるいずれの参照記号も、請求の範囲を限定するものとして解釈されるべきではない。
【図１ａ】
2018516115.tif 000003
【図１ｂ】
2018516115.tif 000004
【図２ａ】
2018516115.tif 000005
【図２ｂ】
2018516115.tif 000006
【図３ａ】
2018516115.tif 000007
【図３ｂ】
2018516115.tif 000008
【図４】
2018516115.tif 000009
【図５】
2018516115.tif 000010
【図６】
2018516115.tif 000011
【図７】
2018516115.tif 000012
【国際調査報告】
2018516115.tif 000013
2018516115.tif 000014
2018516115.tif 000015